(57)【特許請求の範囲】
【請求項１】
洗濯物を投入する回転ドラムを水平より傾斜した軸心で回転自在に内包した水槽と、前記水槽を揺動自在に防振支持して内包したドラム式洗濯機の筐体と、前記筐体下方に構成した下部ベース板と、前記筐体上方を被覆するパネル枠と、水槽下方と前記ベース板との間に配した防振ダンパーとを備え、前記筐体の下面前部の左右に取手部Ｂおよび、ドラム式洗濯機底面の略中央部左右に底面取手部Ｃを、筐体後面上方左右に取手部Ａを形成したドラム式洗濯機であり、
前記ドラム式洗濯機の重心は、前記取手部Ｂよりも前記底面取手部Ｃに近い位置にあり、かつ、前記取手部Ａよりも前記底面取手部Ｃに近い位置にあるドラム式洗濯機。
【請求項２】
底面取手部Ｃは、防振ダンパーの下部ベース板への取付部近傍に配置した請求項１記載のドラム式洗濯機。
【請求項３】
底面取手部Ｃの上面は、防振ダンパーの下部ベース板への取付部に配した鋼板等で構成したベース補強板により覆われた請求項２に記載のドラム式洗濯機。
【発明の詳細な説明】
【技術分野】
【０００１】
本発明は、ドラム式洗濯機の輸送用取手構成に関するものである。
【背景技術】
【０００２】
従来、この種のドラム式洗濯機は重量が重く、運搬設置する際、製品前後対角の箇所に構成した輸送用の取手部に手をかけ、前後より通常二人でかかえて作業するのが一般的であった（例えば、特許文献１参照）。
【０００３】
図５は、従来のドラム式洗濯機の外観図である。
【０００４】
図５に示すように、ドラム式洗濯機１は、箱形状を有する筐体４４を載置する下部ベース板４０の前部の下部左右に取手部Ｂ１０５を、背面の裏板４５上方のパネル枠４６後面左右に形成した取手部Ａ１０１を、各部材の角隅の強度のある個所に形成している。
【０００５】
なお、この種のドラム式洗濯機では、左右幅Ｗより奥行き寸法Ｄが大きいのが一般的である（構成は後述する）。
【０００６】
図６は、ドラム式洗濯機１を搬送時持ち上げた状態の側面図である。
【０００７】
ドラム式洗濯機１は、使い勝手向上のため、筐体４４内方には、回転ドラム２等を傾斜配置し、筐体４４前面の扉体９も、傾斜配置とした斜めドラム式洗濯機である。
【０００８】
設置等の際の運送にあったては、ドラム式洗濯機の筐体４４の背部の上部左右に設けられた取手部Ａ１０１を１人の作業者Ａ１０６が両手を掛け、筐体４４の前部の下部左右に設けられた取手部Ｂ１０５に他の作業者Ｂ１０７が両手を掛け、両作業者Ａ１０６、Ｂ１０７が筐体４４をその前後において製品を斜めの状態に持ち上げて低重心にて運搬し、また移動するものである。
【０００９】
特に、水槽３と回転ドラム２が軸線を水平より傾斜して配置されて、水槽３の衣類出入口１１が筐体４４の前面に開口するタイプの斜めドラム式の筐体４４では、回転ドラム２等を傾斜構造にした分だけ奥行き方向に寸法が大きくなり、図５に示したように、左右幅Ｗよりも前後の奥行き寸法Ｄの方が大きいのが一般的である。
【００１０】
よって、奥行き寸法Ｄの大きい筐体４４の前後で作業者Ａ１０６、Ｂ１０７が持ち上げて運搬し、また移動させることで通行幅が小さくなり、狭い場所や通路での取り扱いに便利である。
【００１１】
この時、ドラム式洗濯機の筐体４４は、水平より角度Ｍ傾斜し、最下点Ｐの床面からの距離はＨの寸法を保持し、かつ、重心が２人の作業者Ａ１０６、Ｂ１０７のほぼ中間に位置することになるので重量をほぼ均等に分担しあうようになっている。
【先行技術文献】
【特許文献】
【００１２】
【特許文献１】特開２００８−９９８０２号公報
【発明の概要】
【発明が解決しようとする課題】
【００１３】
しかしながら、前記従来の構成では、平面的な場所を移動するには良いが、階段等の傾斜した床面を運搬移動する際には課題が発生する。
【００１４】
図７は、ドラム式洗濯機を傾斜床面で持ち上げた状態の側面図である。
【００１５】
図７において、作業者Ａ１０６、Ｂ１０７が高さ距離Ｋの差がある、例えば階段等を持ち上げる際には、高さ距離Ｋに相当して筐体４４は、水平面からの傾斜角度が少なくなり角度Ｎは鉛直側に近づくこととなり、ドラム式洗濯機の最下点Ｐの床面からの距離が狭まり、階段等の場合は階段の角隅と近接し、接触する恐れがある。
【００１６】
下方の作業者Ｂが腕を折り曲げて上方に持ち上げる事は、重量あるドラム式洗濯機の場合では作業の生産性を著しく損なうことになる。
【００１７】
上記のように従来の構成では、傾斜した床面を運搬するには床面との距離を確保できないので不安全作業になるという課題があった。
【００１８】
本発明は、上記従来の課題を解決するもので、重い重量のドラム式洗濯機の人力による運搬時の作業性と安全性を高めることを目的としている。
【課題を解決するための手段】
【００１９】
前記従来の課題を解決する為に、本発明のドラム式洗濯機は、濯物を投入する回転ドラムを水平より傾斜した軸心で回転自在に内包した水槽と、前記水槽を揺動自在に防振支持して内包したドラム式洗濯機の筐体と、前記筐体下方に構成した下部ベース板と、前記筐体上方を被覆するパネル枠と、水槽下方と前記ベース板との間に配した防振ダンパーとを備え、前記筐体の下面前部の左右に取手部Ｂおよび、ドラム式洗濯機底面の略中央部左右に底面取手部Ｃを、筐体後面上方左右に取手部Ａを形成したものである。
【００２０】
傾斜した床面運搬時には、二人の作業者が下部ベース板の略中央部の底面取手部Ｃと、上方パネル枠後面上方の取手部Ａとにそれぞれ手をかけ持ち上げるので、ドラム式洗濯機の最下点が上方に位置し、階段等の傾斜床面との寸法が確保されるので、運搬時において安全性と作業性に優れる作業が可能となる。
【発明の効果】
【００２１】
本発明のドラム式洗濯機は、重い筐体を運搬する際の安全性と作業性を高めることができる。
【図面の簡単な説明】
【００２２】
【図１】本発明の実施の形態におけるドラム式洗濯機の外観図
【図２】同上ドラム式洗濯機の底部からの一部欠載矢視図
【図３】同上ドラム式洗濯機を傾斜床面で搬送時の持ち上げた状態の側面図
【図４】同上ドラム式洗濯機の縦断面図
【図５】従来のドラム式洗濯機の外観図
【図６】同上ドラム式洗濯機を搬送時の持ち上げた状態の側面図
【図７】同上ドラム式洗濯機を傾斜床面で持ち上げた状態の側面図
【発明を実施するための形態】
【００２３】
第１の発明は、濯物を投入する回転ドラムを水平より傾斜した軸心で回転自在に内包した水槽と、前記水槽を揺動自在に防振支持して内包したドラム式洗濯機の筐体と、前記筐体下方に構成した下部ベース板と、前記筐体上方を被覆するパネル枠と、水槽下方と前記ベース板との間に配した防振ダンパーとを備え、前記筐体の下面前部の左右に取手部Ｂおよび、ドラム式洗濯機底面の略中央部左右に底面取手部Ｃを、筐体後面上方左右に取手部Ａを形成したことにより、二人の作業者が下部ベース板の略中央部の底面取手部Ｃと、上方パネル枠後面上方の取手部Ａとにそれぞれ手をかけ持ち上げるので、ドラム式洗濯機の最下点は持ち上がるので、階段等の傾斜床面を運搬において床面と接触の恐れの無い余裕のある作業ができるので、安全性と作業性に優れるものである。
【００２４】
第２の発明は、特に、第１の発明の底面取手部Ｃは、防振ダンパーの下部ベース板への取付部近傍に配置したことにより、底面取手部Ｃは、強度を有する構成となり、運搬時の安全性がさらに確保できる。
【００２５】
第３の発明は、特に、第２の発明の底面取手部Ｃの上面は、防振ダンパーの下部ベース板への取付部に配した鋼板等で構成したベース補強板により覆われたことにより、底面取手部Ｃの強度は著しく高められ、底面取手部Ｃを持って運搬中などに底面取手部Ｃが洗濯機本体の自重で破損しにくくなり、運搬時の安全性がよりさらに確保される。
【００２６】
以下、本発明の実施の形態について、図面を参照しながら説明する。なお、従来例と同じ構成のものは同一符号を付して説明を省略する。また、この実施の形態によって本発明が限定されるものではない。
【００２７】
（実施の形態１）
図１は、本発明の実施の形態におけるドラム式洗濯機の外観図を、図２は、同ドラム式洗濯機の底部からの一部欠載矢視図を示すものである。
【００２８】
図１において、ドラム式洗濯機１は、箱形状を有する筐体４４の下面であって、筐体４４を載置するプラスチック等で四方を構成した下部ベース板４１の前部の左右に取手部Ｂ１０５を、またドラム式洗濯機１の底面である下部ベース板４１の略中央部下面左右に底面取手部Ｃ１１０を、さらに筐体４４背面の裏板４５上方のパネル枠４６後面左右に取手部Ａ１０１を形成している。
【００２９】
図２の底部から見た矢視図において、下部ベース板の前後方向の略中央部左右に各一個形成した底面取手部Ｃ１１０は、中央に開口部４３を有する略四角形状の下部ベース板４１の、筐体４４の前面側と裏板４５側の後方とをつなぐ左右の前後梁４７の略中央部に位置させ、下方に開放口１１１を有する矩形箱状に一体形成され、作業者の指先が挿入可能に形成している。
【００３０】
図３は、本発明の実施の形態におけるドラム式洗濯機を、前後の作業者間でＫ寸法の高低差のある傾斜した床面４８で搬送時の持ち上げた状態の側面図を示すもので、図３に於いて、低い位置にいる作業者Ｂ１０７は、階段等の傾斜床運搬時には、前記下部ベース板４１の略中央部下面の底面取手部Ｃ１１０に手をかけて持ち上げる。
【００３１】
従って、従来の前部の取手部Ｂ１０５を持ち上げた場合とは、高さＧに対応する寸法だけドラム式洗濯機１は高く持ち上げられ、筐体４４の水平面からの傾斜角度Ｅは前部の取手部Ｂ１０５を持ち上げた時の角度Ｎ（従来例図７）より水平に近づくので、ドラム式洗濯機の最下点Ｐの位置は、階段等の床面４８に対し余裕ある隙間寸法Ｆを保つことができる。
【００３２】
図４は、本発明の実施の形態におけるドラム式洗濯機の縦断面図を示すものである。
【００３３】
図４において、回転ドラム２を回転自在に軸支し内包した水槽３は、筐体４４の上方において上部ばね体７１で、また、筐体４４後方において下部ばね体７２で揺動自在に支持され、脱水運転時等回転ドラム２内に投入された衣類の脱水を行う際の振動を吸収するようになっている。さらに上記水槽３の振動が共振等の異常振動に移行しないよう、水槽３下方の左右に防振ダンパー７０を配置し、水槽３と下部ベース板４１間に配置し水槽３の振動を減衰防振支持する。
【００３４】
水槽３の動きを強制的に減衰させるので、防振ダンパー７０を介して下部ベース板４１には大きい荷重が加わるので、この箇所には以下のような強度を有する構成をとる。
【００３５】
即ち、前記防振ダンパー７０は、上部を水槽３底部に固着した鋼板等の水槽支持板４９に上ボルト５０で固定され、下部は下部ベース板４１に固着した、鋼板で構成したベース補強板５１に下ボルト５２で固定され、かつ水槽３の揺動を共振しないよう防振ダンパー７０の内方のオイルダンパー（図示せず）やコイルスプリング７３にて前後左右方向に揺動自在に水槽の動きに追随しつつ減衰作用を発揮する。
【００３６】
一方、下部ベース板４１に左右各一個形成した底面取手部Ｃ１１０は、前記防振ダンパー７０の下方取付構成である下ボルト５２の取付部近傍に構成している。
【００３７】
さらに、鋼板で構成したベース補強板５１が、底面取手部Ｃ１１０の上面を覆うように配置している。
【００３８】
以上のように構成した洗濯機について、その動作、作用を説明する。
【００３９】
まず、ドラム式洗濯機１は、筐体４４の底部の下部ベース板４１には、前方には従来例にもある取手部Ｂ１０５に加えて、略中央部下面に底面取手部Ｃ１１０を設けている。
【００４０】
傾斜した床面運送の場合には、ドラム式洗濯機の筐体４４の背部の上部左右に設けられた取手部Ａ１０１を１人の作業者Ａ１０６が両手を掛け、他の作業者Ｂ１０７が前記略中央部下面に底面取手部Ｃ１１０に手をかけて持ち上げる。
【００４１】
従って、従来のように下部ベース板４１の前方の取手部Ｂ１０５に手をかけた場合に較べ、ドラム式洗濯機１の最下点Ｐは持ち上がるので、階段等の傾斜床面を運搬において余裕のある安定した作業ができるので、安全性と作業性に優れるものである。
【００４２】
なお、作業者Ｂ１０７が前記略中央部下面に底面取手部Ｃ１１０に手をかけて持ち上げた場合は、ドラム式洗濯機の重心が両作業者の中間点に位置せず、中央に近い取手を抱えた作業者Ｂ１０７に若干負担が増える事になるが、この作業は階段等傾斜面で行い、距離のある平滑な床面では従来の前方の取手部Ｂ１０５に手をかける作業に戻せば、重心が２人の作業者Ａ１０６、Ｂ１０７のほぼ中間に位置するので重量をほぼ均等に分担し合うことができる等の、使い分けが可能である。
【００４３】
また、水槽３と下部ベース板４１間に配置し水槽３の振動を減衰防振支持する為の防振ダンパー７０を、下部ベース板４１に取り付けた部分は強度を有する構成とした個所であり、底面取手部Ｃの位置を前記防振ダンパーの下部ベース板への取付部近傍に配置した構成としている。
【００４４】
従って、底面取手部Ｃは、強度を有する構成となり、重量のあるドラム式洗濯機の運搬時の安全性が確保できるものである。
【００４５】
さらに、防振ダンパーの下部ベース板４１への下ボルト５２取付部には、剛性を高める為に鋼板で構成したベース補強板５１を配しているが、底面取手部Ｃの位置を前記ベース補強板５１にて、その上面を覆うように構成したので、底面取手部Ｃの強度は著しく高められ、底面取手部Ｃを持って運搬中などに底面取手部Ｃが洗濯機本体の自重で破損しにくくなり、運搬時の安全性がより確保される。
【産業上の利用可能性】
【００４６】
本発明のドラム式洗濯機は、重い筐体を運搬する際の安全性と作業性を高めることができるので、重量の大きい筐体を必要とする機器に有用である。
【符号の説明】
【００４７】
１      ドラム式洗濯機
２      回転ドラム
３      水槽
４１    下部ベース板
４４    筐体
４６    パネル枠
５１    ベース補強板
７０    防振ダンパー
１０１  取手部Ａ
１０５  取手部Ｂ
１１０  底面取手部Ｃ
【図１】
0005488383.tif 000002
【図２】
0005488383.tif 000003
【図３】
0005488383.tif 000004
【図４】
0005488383.tif 000005
【図５】
0005488383.tif 000006
【図６】
0005488383.tif 000007
【図７】
0005488383.tif 000008